(57)【要約】【課題】照明装置本体を天井等の壁側部材から取外すことなく、筐体のみの交換で照明装置の交換を完了することができる照明装置の実用性を向上することである。【解決手段】天井等の壁側部材の表面上に取り付けられている照明装置本体に対し、前記照明装置本体を覆うようにして前記照明装置本体に取り付けられる直管蛍光ランプを保持する筐体であって、前記筐体は、長手方向の上面が開口されていて、かつその垂直断面が略倒五角形状を有すると共に、外側面が直管蛍光ランプの光を反射する反射面とされており、前記筐体の前記垂直断面が略倒五角形状の下部二辺に対応する底板の外部のそれぞれの両端には、前記筐体の内部側から外側面に向けて突き出されて直管蛍光ランプの両端を支持する一対のソケットが備えられており、前記筐体の内部には、直管蛍光ランプを点灯させる安定器と、安定器と電源コードとを接続可能な端子とが備えられている。【選択図】        図１
2008251482.tif 000002
【特許請求の範囲】
【請求項１】
天井等の壁側部材の表面上に取り付けられている照明装置本体に対し、前記照明装置本体を覆うようにして前記照明装置本体に取り付けられる直管蛍光ランプを保持する筐体であって、
前記筐体は、長手方向の上面が開口されていて、かつその垂直断面が略倒五角形状を有すると共に、外側面が直管蛍光ランプの光を反射する反射面とされており、
前記筐体の前記垂直断面が略倒五角形状の下部二辺に対応する底板の外部のそれぞれの両端には、前記筐体の内部側から外側面に向けて突き出されて直管蛍光ランプの両端を支持すると共に直管蛍光ランプに電力を供給する一対のソケットが備えられており、
前記筐体の内部には、直管蛍光ランプを点灯させる安定器と、安定器と電源コードとを接続可能な端子とが備えられていることを特徴とする照明装置の筐体。
【請求項２】
前記ソケットは、外側面に一対の弾性係合片を有しており、弾性係合片が筐体の底板の両端に設けられている開口に挿入されることにより筐体に係合止着されることを特徴とする請求項１に記載の照明装置の筐体。
【請求項３】
前記安定器は、照明装置本体が備えている安定器に接触しない位置に備えられていることを特徴とする請求項１または２に記載の照明装置の筐体。
【請求項４】
前記筐体を壁側部材から吊るすことが可能な吊り下げ手段を備えたことを特徴とする請求項１から３のいずれかに記載の照明装置の筐体。
【請求項５】
前記吊り下げ手段は、一端が筐体の内側面に連結される一対の弦部材と、弦部材の他端に設けられ弦部材を壁側部材に取付ける取付け手段とを備え、
一対の弦部材の一端は、筐体の対角線上となる部位に連結されることを特徴とする請求項４に記載の照明装置の筐体。
【発明の詳細な説明】
【技術分野】
【０００１】
この発明は、天井等の壁側部材に設置される照明装置の筐体に関する。
【背景技術】
【０００２】
従来、天井等の壁側部材に設置される照明装置にあっては、たとえば、図１０に示されるように、直管蛍光ランプＫの両端を支持するソケットＳと直管蛍光ランプＫを点灯させる安定器Ｃと，安定器Ｃと接続され外部電源から伸びる電源コードＤを接続する端子Ｅとを備え、天井Ｒに取り付けられる箱型の照明装置本体Ｌと、直管蛍光ランプＫの光を反射する反射面を有する筐体Ｍとを備えて構成されており、筐体Ｍは、照明装置本体Ｌの四隅に設けた螺子孔Ｈ１〜Ｈ１に符合する四箇所に螺子Ｂ〜Ｂが挿通される孔Ｈ２〜Ｈ２を備え、この孔Ｈ２〜Ｈ２に挿通される螺子Ｂ〜Ｂによって照明装置本体Ｌに取り付けるようになっている（特許文献１）。
【０００３】
【特許文献１】特開２０００−１６４００７公報（図５）
【発明の開示】
【発明が解決しようとする課題】
【０００４】
したがって、従来では、照明装置の交換を行う場合、まず、直管蛍光ランプＫをソケットＳから取り外し、四箇所の螺子Ｂ〜Ｂを取り除いて照明装置本体Ｌから筐体Ｍを取り除き、電源コードＤと端子Ｅとの接続を断ち、古い照明装置本体Ｌを天井Ｒから取り除く。その後、新しい照明装置本体Ｌを天井Ｒに取り付け、電源コードＤと端子Ｅとを接続するべく配線し直し、筐体Ｍを照明装置本体Ｌに固定し、直管蛍光ランプＫをソケットＳに取り付けて、交換手順が完了することになる。
このように、照明装置の交換は、従来では非常に手間と時間がかかり、作業者は天井側、すなわち、上を向いたままの姿勢で交換作業が強いられることから交換作業は重労働であった。
また、照明装置の寿命の関係から、大規模な建築物では、交換対象の照明装置が多数となることもあり、このような場合、上記交換作業に費やされる時間と手間は莫大となることから、交換作業効率の向上が強く望まれていた。
そこで、本発明は、上記した不具合を改善するために創案されたものであって、照明装置本体を取り除くことなく、筐体のみの交換で照明装置の交換を完了することができる照明装置の実用性を向上させることを課題とする。
【課題を解決するための手段】
【０００５】
上記した目的を達成するために、本発明の課題解決手段は、天井等の壁側部材の表面上に取り付けられている照明装置本体に対し、前記照明装置本体を覆うようにして前記照明装置本体に取り付けられる直管蛍光ランプを保持する筐体であって、前記筐体は、長手方向の上面が開口されていて、かつその垂直断面が略倒五角形状を有すると共に、外側面が直管蛍光ランプの光を反射する反射面とされており、前記筐体の前記垂直断面が略倒五角形状の下部二辺に対応する底板の外部のそれぞれの両端には、前記筐体の内部側から外側面に向けて突き出されて直管蛍光ランプの両端を支持すると共に直管蛍光ランプに電力を供給する一対のソケットが備えられており、前記筐体の内部には、直管蛍光ランプを点灯させる安定器と、安定器と電源コードとを接続可能な端子とが備えられていることを特徴とする。
【発明の効果】
【０００６】
本発明の照明装置の筐体によれば、照明装置の本体が天井等の壁側部材に取り付けられた状態のままで、筐体を取り付けているので、照明装置のリニューアルが容易である。
そして、リニューアルを行う際にも、直管蛍光ランプの狭持を予定するソケットを筐体の開口に差し入れ弾性係合片を筐体の開口周縁に係合させて取り付けることができるので、ソケットの取り付けがワンタッチで可能となり筐体の照明装置本体への取り付け効率を向上させることができる。
【発明を実施するための最良の形態】
【０００７】
以下に、図示した実施の形態に基づいて、本発明を説明する。図１は、一実施の形態における照明装置の筐体の背面側斜視図である。図２は、一実施の形態における照明装置の筐体の反射面側斜視図である。図３は、筐体の断面図である。図４は、筐体のソケットの取付け手順を示す一部破断斜視図である。図５は、筐体のソケットの取付けられた状態を示す一部破断断面図である。図６は、照明装置の筐体を壁側部材から吊下げた状態を示す図である。図７は、リニューアルが必要な照明装置本体から筐体を取除く手順を示す図である。図８は、リニューアルが必要な照明装置本体からソケットを取除くとともに電源コードを端子から取外す手順を示す図である。図９は、一実施の形態における照明装置の筐体をリニューアルが必要な照明装置本体に取付ける手順を示す図である。
【０００８】
一実施の形態における照明装置１の筐体２は、図１および図２に示すように、直管蛍光ランプ２０の光を反射する反射面２ａと、筐体２の反射面２ａの両端側に設けられ直管蛍光ランプ２０の両端を支持するとともに直管蛍光ランプ２０に電力を供給する二対のソケット５，５と、筐体２の内部に設けられ直管蛍光ランプ２０を点灯させる安定器４と、安定器４と外部電源から伸びる電源コードとを接続する端子３と、筐体２の四隅側のそれぞれに螺子が挿通可能な孔６〜６と、筐体２を壁側部材から吊り下げることが可能な吊下手段７，７と、を備えて構成されている。
【０００９】
以下、各部について詳しく説明する。
図１、図２および図３に示すように、筐体２は、垂直断面が略倒五角形状の柱状の中空体の上面を開口させた細長の箱型に形成され、具体的には前記開口に対向する倒五角形状の下部の二辺に対応する底板ａ，ｂと、底板ａ，ｂからそれぞれ長手方向に延設されて相対向するように立上げられている側板ｃ，ｄと、底板ａ，ｂと側板ｃ，ｄの両端を塞ぐように設けられている前板ｅ，ｆとから形成されている。この筐体２は、外側面を反射面２ａとしている。なお、上記した筐体２の形状は、これに限定されるものではなく、他の形状とすることもできる。
【００１０】
そして、筐体２の底板ａ，ｂの長手方向の両端部には、それぞれ短手方向に並べて一つずつ、すなわち、合計四つの長孔２ｂ〜２ｂが開口され、底板ａ，ｂの一端側の長孔２ｂ，２ｂと他端側の長孔２ｂ，２ｂとは互いに対向する位置に開口されている。
【００１１】
この長孔２ｂ〜２ｂには、図４および図５に示すように、それぞれ、ソケット５〜５が反射面２ａの背面２ｄ、すなわち筐体２の内部側から反射面２ａ側に向けて挿通され、ソケット５の側面に備えられた弾性係合片５ａ，５ａを長孔２ｂの周縁２ｃに係合させてこの長孔２ｂの開口を塞ぐようにして固定され、これによって四つのソケット５〜５が筐体２の反射面２ａ側に突出して筐体２に取付けられている。なお、ソケット５を長孔２ｂに取付ける際に対となるソケット５，５の一つのソケット５を他の対となるソケット５，５の一つのソケット５と取違えないようにソケット５とそのソケット５の挿通を予定する長孔２ｂの周辺に目印となる同色の色彩を付してある。
【００１２】
そして、筐体２の長手方向で対向するソケット５，５同士で直管蛍光ランプ２０の両端を支持することができるとともに、該直管蛍光ランプ２０の両端に設けられる電極に通電することができるようになっている。なお、ソケット５は、上述のように直管蛍光ランプ２０の端部を支持でき通電可能なものであれば、どのような形式のものでも採用可能である。
【００１３】
したがって、直管蛍光ランプ２０は、筐体２の外方、すなわち、反射面２ａ側に設置され、反射面２ａで直管蛍光ランプ２０の光を照らしたい箇所へ効率よく反射することができるようになっている。
【００１４】
さらに、筐体２の底板ａ，ｂの長手方向の両端側のそれぞれには、螺子が挿通可能な孔６，６がひとつずつ四箇所に設けられており、具体的には、これら孔６，６は長手方向に対向するソケット５，５が設けられる位置より内側となる位置に設けられている。
なお、孔６は、筐体２の底板ａ，ｂの長手方向の両端側のそれぞれに複数個ずつ設けてもいいし、また、それぞれ筐体２の短手方向に伸びた長孔としてもいい。
【００１５】
続いて、図１に示すように、筐体２の内部には、安定器４が、基板１１上であって、筐体２を照明装置本体３０に取付ける際に、照明装置本体３０に備えられている安定器３４と接触することのない位置に取付けられている。安定器４は、各ソケット５に電力供給用のコード（図示せず）を介して電力供給することが可能であって、ソケット５によって支持される直管蛍光ランプ２０を点灯することができるようになっている。この電力供給用のコードは、ソケット５への接続を間違うことなく速やかに行うことができるように、接続を予定するソケット５ごとに異なる色彩を施してある。
【００１６】
なお、安定器４は、本稿では広義に解釈しており、直管蛍光ランプ２０に流れる電流を制御し、直管蛍光ランプ２０の点灯に必要な始動電圧と各電極に適正な余熱電圧を供給できるものであり、ラピッドスタート型やインバータ型といった種々の形式のものを使用することが可能である。
【００１７】
また、上記基板１１は、筐体２の内部に底板ａ，ｂ間に架け渡されてスポット溶接等で接合されて固定されている。
【００１８】
したがって、安定器４は、上記基板１１上に固定されているので、安定器４が固定される基板１１と筐体２との間に垂直断面が略倒三角形状の空間１２が設けられるようになっている。
【００１９】
上記のように、この筐体２にあっては、安定器４が取り付けられる基板１１と筐体２との間に空間１２が設けられているので、安定器４が動作中に発生する熱を外気に効率的に放熱することが可能となっている。
【００２０】
また、安定器４は、筐体２に溶接によって固定される基板１１を介して該筐体２に取付けられているので、安定器４を固定する螺子等が筐体２の反射面２ａ側に突出することが防止されており、これにより、照明装置１の美観が損なわれることがないとともに、直管蛍光ランプ２０の光を効率よく反射することが可能となっている。
【００２１】
さらに、上記した基板１１上であって、前記安定器４の傍らには、端子３が設けられており、この端子３は、外部電源から伸びる２本の電源コードと、アース用コードとに接続可能であるとともに、安定器４にコード（図示省略）で接続され、この端子３を介して安定器４に外部電源から電力供給を行うことができるようになっている。
【００２２】
また、上記筐体２の一端であって、前記基板１１の隅部には、後述する吊下手段７，７を構成するワイヤ１４の取付金具１３がスポット溶接等によって溶接接合されており、同様の取付金具１３が筐体２の他端にもスポット溶接等によって筐体２に直接溶接接合されている。取付金具１３には、それぞれ、弦部材たるワイヤ１４の一端が連結され、このワイヤ１４の他端には、取付手段たるフック１５が設けられている。
【００２３】
上記取付手段たるフック１５は、図６に示すように、故障やリニューアルが必要な元々天井Ｒ等に設置済みであった筐体３２を取り除いた壁側部材となる照明装置本体３０へワイヤ１４を着脱自在に取付けることが可能であり、照明装置本体３０のフック１５を引っ掛けることが可能な箇所に当該フック１５を引っ掛けることによって、壁側部材たる照明装置本体３０から各フック１５とワイヤ１４とで筐体２を吊下げることができるようになっている。
【００２４】
したがって、本実施の形態においては、上記一対のワイヤ１４，１４とフック１５，１５とで吊下手段７，７が構成されていることになる。なお、取付手段としては、上記フック１５以外にも、ワイヤ１４を照明装置本体３０に着脱自在に取付けることができるものであればよく、取付手段には螺子や他の金具を採用することも可能であるが、フック１５は照明装置本体３０へ引っ掛ける簡単な作業で筐体２を吊下げることができ便利である。また、上記フック１５は、いわゆるナスカンフックとされており、上記照明装置本体３０へ引っ掛けると、ロックされて脱落することが無いようになっている。
【００２５】
そして、上記各ワイヤ１４の筐体２への連結位置は、筐体２の対角線上となる部位とされている。これにより、筐体２を照明装置本体３０から吊下げても、筐体２が極端に傾くような事態が防止されている。
【００２６】
なお、弦部材としては、フレキシブルで筐体２の総重量によって破断しない充分な強度を備えているものであればよく、上記したワイヤ１４の他に、たとえば、チェーンやロープ、紐等を用いることができる。
【００２７】
さて、上述のように構成された筐体２は、以下に示すような手順で、天井Ｒに設置されている照明装置本体３０に取付けることができる。
【００２８】
まず、交換対象の照明装置である照明装置本体３０から、図７に示すように、直管蛍光ランプ３１を取り除き、さらに、筐体３２の四隅を貫き照明装置本体３０の螺子孔３０ａ〜３０ａに捩じ込まれている螺子３３〜３３を緩めて取り払って、筐体３２を既存照明装置本体３０から取り除く。
【００２９】
続いて、図８に示すように、照明装置本体３０の安定器３４に電力供給している電源コード３５を端子３６から取り外し、照明装置本体３０に備え付けのソケット３７〜３７を、照明装置本体３０から取り外す。ここで、ソケット３７〜３７は、完全に照明器具本体３０から取り除いてもいいし、そのまま照明器具本体３０内に残しておいてもいい。
【００３０】
その後、図６に示すように、各フック１５，１５を照明装置本体３０の適宜の箇所に引っ掛けて筐体２を吊下げ、その状態を保って、電源コード３５を端子３に接続する。このとき、上記した弦部材たるワイヤ１４の長さは、筐体２を吊下げた状態で脚立等に乗って作業を行っている作業者が充分に筐体２の内部を見下ろすことができるような長さに設定されており、上記した電源コード３５を端子３に接続する作業を行う際には、作業者は、上方を見上げるような作業負担が重くなりがちな体勢を強いられることがないので、作業負担が軽減され、また、手元を楽に確認しながら作業を行えるので作業効率も向上することになる。
【００３１】
さらに、上述のように、上記各ワイヤ１４，１４の取付金具１３，１３への連結位置は、筐体２の対角線上となる部位とされて、筐体２を照明装置本体３０から吊下げても、筐体２が極端に傾くような事態が防止されている。
【００３２】
したがって、筐体２が作業者側と反対方向に大きく傾いてしまって、わざわざ作業者が脚立から降り、脚立をずらして、再度脚立に乗って筐体２の反対側に回り込むことを強いられたり、電源コード３５を端子３に接続する危険を伴う作業を行う際に、筐体２の傾きの補正を強いられたりといった煩わしさがなく、作業負担が軽減されるとともに、作業性の向上および作業員の安全性が確保されることになる。
【００３３】
引き続き、上述の状態から、図９に示すように、筐体２を照明装置本体３０の外方に照明装置本体３０を覆うように被せ、筐体２に設けた孔６〜６に螺子３３〜３３を挿入するとともに、該螺子３３〜３３を螺子孔３０ａ〜３０ａに捩じ込んで筐体２を照明装置本体３０に螺子止めする。すなわち、古い照明装置本体３０はそのまま残置することとなり、新たな筐体２を天井Ｒ等に固定する役割を果たすのみとなる。
【００３４】
上記した筐体２は照明装置本体３０の横幅より若干大きめに構成することにより、照明装置本体３０への取付け作業を容易に行うことができ、作業効率を向上させることができる。また、照明装置本体３０を完全に覆い隠すことができるので、リニューアル後の照明装置１回りの美観を損ねることが防止されている。
【００３５】
そして、筐体２を照明装置本体３０に取付けるための螺子３３が挿通される孔６を長孔とした場合には、照明装置本体３０の螺子孔３０ａの位置に長孔６の一部が一致すれば、筐体２を照明装置本体３０に取付けることができるので、規格の異なる種々の照明装置本体３０への同一筐体２を取付けることが可能となり、筐体２の汎用性および実用性が向上する。
【００３６】
そして、異なる規格の照明装置本体３０が混在するような建築物における既設の照明装置のリニューアルを行う際にも、同一の筐体２を用意しておけばよいことになるので、作業者がいちいち照明装置本体３０の規格を間近で確認してから、それに適合する照明装置を選び、リニューアル作業を行うといった煩雑な作業を強いられることも回避され、さらには、複数の規格に対応するために異なる照明装置を生産しなくてはならないといった不具合も解消される。
【００３７】
また、孔６は、筐体２の底板ａ，ｂの長手方向の両端側のそれぞれに一つずつの全体で合計四つ設けているが、筐体２の底板ａ，ｂの長手方向の両端側のそれぞれに複数個設けておくことによっても、多くの異なる規格の照明装置本体３０に対応することが可能となり、筐体２の汎用性および実用性が向上し、また、上気したリニューアル作業の煩雑化を回避可能であり、生産の点でも有利となる。
【００３８】
なお、筐体２の底板ａ，ｂの長手方向の両端側のそれぞれに設けられる複数個の孔６〜６を長孔とした場合には、より一層筐体２の汎用性および実用性が向上し、リニューアル作業の煩雑化を回避でき、生産の点でも一層有利であることはいうまでもない。
【００３９】
最後に、ソケット５，５に直管蛍光ランプ２０を装着して、照明装置のリニューアルが完了する。
【００４０】
なお、取付手段たるフック１５，１５は照明装置本体３０に取付けたままとしておいてあり、何らかの理由で、螺子３３〜３３が緩んで抜けてしまい、筐体２が照明装置本体３０から抜けてしまうようなことがあっても、筐体２は上記吊下手段７，７で吊下げられて床に落下してしまうことがないので、照明装置１の安全性、信頼性が向上する。
【００４１】
以上で、本発明の実施の形態についての説明を終えるが、本発明の範囲は図示されまたは説明された詳細そのものには限定されないことは勿論である。
【図面の簡単な説明】
【００４２】
【図１】一実施の形態における照明装置の筐体の背面側斜視図である。
【図２】一実施の形態における照明装置の筐体の反射面側斜視図である。
【図３】一実施の形態における照明装置の筐体の断面図である。
【図４】筐体のソケットの取り付け手順を示す一部破断斜視図である。
【図５】筐体のソケットの取り付けられた状態を示す一部破断断面図である。
【図６】照明装置の筐体を壁側部材から吊下げた状態を示す図である。
【図７】リニューアルが必要な照明装置本体から筐体を取り除く手順を示す図である。
【図８】リニューアルが必要な照明装置本体からソケットを取り除くとともに電源コードを端子から取外す手順を示す図である。
【図９】一実施の形態における照明装置の筐体をリニューアルが必要な照明装置本体に取付ける手順を示す図である。
【図１０】従来の照明装置の構造を示す分解斜視図である。
【符号の説明】
【００４３】
１    照明装置
２    筐体
３    端子
４    安定器
５    ソケット
６    孔
７    吊下手段
２ａ  反射面
２ｂ  長孔
２ｃ  周縁
２ｄ  背面
５ａ  弾性係合片
１１  基板
１２  空間
１３  取付金具
１４  弦部材たるワイヤ
１５  取付手段たるフック
２０  直管蛍光ランプ
３０  壁側部材となる照明装置本体
【図１】
2008251482.tif 000003
【図２】
2008251482.tif 000004
【図３】
2008251482.tif 000005
【図４】
2008251482.tif 000006
【図５】
2008251482.tif 000007
【図６】
2008251482.tif 000008
【図７】
2008251482.tif 000009
【図８】
2008251482.tif 000010
【図９】
2008251482.tif 000011
【図１０】
2008251482.tif 000012